(57)【要約】バックエンド装置（１０）は、車両（１）の外部に配置され、車両（１）と環境における物体（３）との衝突に対する、車両（１）の衝突検出装置（２）のその都度の現在の衝突確率を繰り返し取得するために、車環境間通信（Ｖ２Ｘ）用に構成された第１インターフェイス（１１）と、少なくとも１つの実際の時間情報、車両（１）の少なくとも１つの実際の位置、および車両識別番号を含む、車両（１）によってその都度更新されるデータセットを繰り返し取得するために、車環境間通信（Ｖ２Ｘ）用に構成された第２インターフェイス（１２）と、を備える。バックエンド装置（１０）は、衝突確率の取得が中断される場合に、最後に取得された衝突確率に応じて、最後に取得されたデータセットを含む自動緊急通報をトリガするように構成され、自動緊急通報を緊急通報センター（４）に提供する第３インターフェイス（１３）を備える。【選択図】図６
2022502763.tif 000002
【特許請求の範囲】
【請求項１】
少なくとも１台の車両（１）のための自動緊急通報をトリガするバックエンド装置（１０）であって、前記バックエンド装置（１０）は、前記車両（１）の外部に配置され、
前記車両（１）と環境における物体（３）との衝突に対する、前記車両（１）の衝突検出装置（２）のその都度の現在の衝突確率を繰り返し取得するために、車環境間通信（Ｖ２Ｘ）用に構成された第１インターフェイス（１１）と、
少なくとも１つの実際の時間情報、前記車両（１）の少なくとも１つの実際の位置、および車両識別番号を含む、前記車両（１）によってその都度更新されるデータセットを繰り返し取得するために、車環境間通信（Ｖ２Ｘ）用に構成された第２インターフェイス（１２）と、を備え、
前記バックエンド装置（１０）は、衝突確率の取得が中断される場合に、最後に取得された衝突確率に応じて、最後に取得されたデータセットを含む自動緊急通報をトリガするように構成され、
前記バックエンド装置（１０）は、自動緊急通報を緊急通報センター（４）に提供する第３インターフェイス（１３）を備える、バックエンド装置（１０）。
【請求項２】
請求項１に記載のバックエンド装置（１０）であって、インターネットプロトコルを介した音声伝送用に構成されている、バックエンド装置（１０）。
【請求項３】
請求項１または２に記載のバックエンド装置（１０）であって、前記第１インターフェイス（１１）は、前記車両（１）を自動制御するための車両制御装置（５）へのインターフェイスであり、前記車両制御装置（５）は、前記車両（１）の環境取得センサ（６）からのデータに応じて人口知能手段で環境を知覚し、環境の前記知覚に応じて前記車両（１）を自動制御する手段を備える、バックエンド装置（１０）。
【請求項４】
車両（１）の衝突検出装置（２）へのインターフェイス（２１）を備える車環境間通信（Ｖ２Ｘ）用の車両制御装置（Ｖ２Ｘ‐ＥＣＵ）であって、前記車両（１）の環境取得出センサ（６）からのデータに応じて、前記車両（１）と環境における物体（３）との衝突に対する衝突確率を決定するアルゴリズムを実行するように構成され、環境に対する衝突確率を提供するように構成されている、車両制御装置（Ｖ２Ｘ‐ＥＣＵ）。
【請求項５】
請求項１〜３の何れか一項に記載のバックエンド装置（１０）と、請求項４に記載の車両制御装置（Ｖ２Ｘ‐ＥＣＵ）と、を備える少なくとも１台の車両（１）のための自動緊急通報をトリガするシステム（３０）であって、前記車両制御装置（Ｖ２Ｘ‐ＥＣＵ）は、第１インターフェイス（１１）を介して衝突確率を前記バックエンド装置（１０）に提供し、前記バックエンド装置（１０）は、前記車両（１）の外部から、第３インターフェイス（１３）を介して自動緊急通報を緊急通報センター（４）に提供する、システム（３０）。
【請求項６】
少なくとも１台の車両（１）のための自動緊急通報を、前記車両（１）の外部からトリガする方法であって、
バックエンド装置（１０）において、車環境間通信（Ｖ２Ｘ）を用いて、前記車両（１）と前記車両（１）の環境における物体（３）との衝突に対する、前記車両（１）の衝突検出装置（２）の現在の衝突確率を取得するステップ（Ｖ１）と、
前記バックエンド装置（１０）において、少なくとも１つの実際の時間情報、前記車両（１）の少なくとも１つの実際の位置、および車両識別番号を含む、前記車両（１）によってその都度更新されるデータセットを取得するステップ（Ｖ２）と、
現在の衝突確率および更新されるデータセットを繰り返し取得し、
衝突確率の取得が中断される場合に、最後に取得した衝突確率に応じて、最後に取得したデータセットを含む自動緊急通報を前記バックエンド装置（１０）からトリガするステップ（Ｖ３）と、を含む方法。
【請求項７】
請求項６に記載の方法であって、前記方法を実行するために、請求項１〜３の何れか一項に記載のバックエンド装置（１０）または請求項５に記載のシステム（３０）を使用する、方法。
【請求項８】
少なくとも１台の車両（１）のための自動緊急通報をトリガするバックエンド装置（１０）用のコンピュータプログラム製品（４０）であって、前記バックエンド装置（１０）のメモリ（４１）にロードされるように構成され、前記コンピュータプログラム製品（４０）が前記バックエンド装置（１０）上で実行されているときに、請求項６に記載の方法を実行することができるソフトウエアコード部分を含む、コンピュータプログラム製品（４０）。
【発明の詳細な説明】
【技術分野】
【０００１】
本発明は、少なくとも１台の車両のための自動緊急通報をトリガする請求項１に記載のバックエンド装置に関する。さらに本発明は、車環境間通信のための請求項４に記載の車両制御装置に関する。また本発明は、自動緊急通報をトリガする請求項５に記載のシステムに関する。さらに本発明は、自動緊急通報をトリガする請求項６に記載の方法に関する。本発明は、バックエンド装置のための請求項８に記載のコンピュータプログラム製品にも関する。
【背景技術】
【０００２】
欧州連合官報Ｌ１２３／７７に掲載された２０１５年４月２９日の欧州議会および理事会の欧州指令２０１５／７５８は、１１２番緊急通報に基づくｅＣａｌｌ（緊急通報）システムに関して車両について、ならびに１１２番緊急通報に基づくｅＣａｌｌシステム、コンポーネントおよびそのための独立した技術ユニットについて、ＥＣ型式認証のための一般的要件を定めている。この指令によれば、ＯＥＭは２０１８年３月３１日から、欧州連合が義務づけているｅＣａｌｌシステムを乗用車と小型トラックのすべての新型車に搭載しなければならない。
【０００３】
従来技術から既知のｅＣａｌｌシステムは、車載のｅＣａｌｌシステムである。すなわち、ｅＣａｌｌシステムは車両に組み込まれた装置である。既知のｅＣａｌｌシステムの問題は、車載のｅＣａｌｌシステムまたは車両がダメージを受けた場合、もはや１１２番緊急通報をトリガできないことである。既知のｅＣａｌｌシステムの更なる問題は、重大な影響がない軽微な事故の場合であっても、擬似緊急事態が報告されることである。
【発明の概要】
【発明が解決しようとする課題】
【０００４】
ここが、本発明が貢献できるところである。本発明の課題は、既知のｅＣａｌｌシステムを改善することである。
【課題を解決するための手段】
【０００５】
この課題は、少なくとも１台の車両のための自動緊急通報をトリガする請求項１に記載の特徴を有するバックエンド装置によって解決される。さらにこの課題は、車環境間通信のための請求項４に記載の特徴を有する車両制御装置によって解決される。またこの課題は、自動緊急通報をトリガする請求項５に記載の特徴を有するシステムによって解決される。さらにこの課題は、自動緊急通報をトリガする請求項６に記載の特徴を有する方法によって解決される。この課題は、バックエンド装置のための請求項８に記載の特徴を有するコンピュータプログラム製品によっても解決される。
【０００６】
発展実施形態および有利な実施形態は、従属請求項および図に開示されている。
【０００７】
本発明によれば、少なくとも１台の車両のための自動緊急通報をトリガするバックエンド装置が提案される。バックエンド装置は、車両の外部に配置されている。バックエンド装置は、第１インターフェイスを備える。第１インターフェイスは、車両と環境における物体との衝突に対する、車両の衝突検出装置のその都度の現在の衝突確率を繰り返し取得するために、車環境間通信用に構成されている。さらにバックエンド装置は、第２インターフェイスを備える。第２インターフェイスは、少なくとも１つの実際の時間情報、車両の少なくとも１つの実際の位置、および車両識別番号を含む、車両によってその都度更新されるデータセットを繰り返し取得するために、車環境間通信用に構成されている。バックエンド装置は、衝突確率の取得が中断される場合に、最後に取得された衝突確率に応じて、最後に取得されたデータセットを含む自動緊急通報をトリガするように構成されている。またバックエンド装置は、第３インターフェイスを備える。第３インターフェイスは、自動緊急通報を緊急通報センターに提供するように構成されている。
【０００８】
自動緊急通報は、無線ネットワーク、好適には公的な移動無線ネットワークを介して送信される。本発明は、ロングタームエボリューション（ＬＴＥ：Long Term Evolution）無線技術に適用することができる。本発明の発想は、５Ｇ無線技術でも実現することもできる。バックエンド装置は、情報送信システム、例えば車両ドライバまたは車両であるユーザから離れている移動無線ネットワークの一部である。これに関連して、ユーザは、フロントエンドとも称される。バックエンド装置は、例えばサーバメモリまたは中央ネットワークコンポーネントなどのマテリアルコンポーネントである。代替的に、バックエンド装置はクラウドベースのメモリである。バックエンド装置は、大量のデータを処理するタスクを実行するように構成されている。例えば、バックエンド装置は、複数の車両のための自動緊急通報をトリガする。
【０００９】
車両は、陸上車両、特に自動車、バン、バス、トラック、および／または二輪車である。
【００１０】
インターフェイスは、論理量、例えばデータまたは物理量、例えば電気信号を、一方向のみに、または双方向に交換するために、少なくとも２つの機能ユニットを接続する。交換は、アナログまたはデジタルで行うことができる。交換は無線で行われる。接続は、特に無線接続である。すなわち、無線技術を介して交換が行われる。
【００１１】
英語でVehicle-To-X Communication、略称Ｖ２Ｘと称される、車環境間通信とは、車両とその環境との間で情報およびデータを交換することである。他の道路利用者に加えて、環境には、インフラストラクチャ、特に交通インフラストラクチャも含まれる。交通インフラストラクチャには、特に、例えば信号機のような誘導システムが含まれる。
【００１２】
衝突検出装置は、実際の事故事象、例えば車両と、他の車両、歩行者または車両の環境からの他の物体との衝突が発生する前の事故シナリオ、英語でプリクラッシュシナリオと称される事故シナリオにおいて、車両データおよび／または車両の環境取得センサからのデータ、および／またはそれらから導出された軌道計画に応じて、衝突確率を決定するように構成されたコンピューティングデバイスである。衝突検出装置は、連続運転における衝突確率、または、例えば車両カメラによって検出された接近車両等の交通事象に応じて、衝突確率を決定するように構成されている。衝突確率は、事故事象が発生する確率を示す。衝突検出装置によって評価されるデータは、例えば、車両と物体との間の相対速度、物体までの距離、衝突までの時間（time to collision）、車両の移動方向（高速道路上およびトンネル内において重要）、車両の衝突箇所、物体の分類、および／または衝突の重大度（軽微な衝突から全損まで）である。衝突検出装置は、数ミリ秒以内に衝突確率を決定することができるように、大きな計算能力を有する。好適には、衝突検出装置は、データの融合に応じて、車両と物体との衝突を避けることができない車両に対する位置を予測するように構成されている。この位置は、ポイントオブノーリターン（point-of-no-return）である。有利には、自動緊急通報は予測されるポイントオブノーリターンに対してトリガされる。衝突検出装置は、好適には、英語でElectronic Control Unit for Advanced Driver Assistence Systems（先進運転者支援システム用電子制御ユニット）、略称でＡＤＡＳ‐ドメイン‐ＥＣＵと称される運転者支援システムまたは自動／自立走行のための車両制御装置に組み込まれている。ＡＤＡＳ‐ドメイン‐ＥＣＵは、好適には、人工知能手段で車両の縦方向および／または横方向の誘導を自動的に／自律的に制御するスーパーコンピューティングプラットフォームである。
【００１３】
車両によってその都度更新されるデータセットは、事故事象を描写するための最小データセットである。有利には、データセットは、走行方向、事故事象の重大度、車両乗員の数、シートベルトの状態、および／または車両の状態に関する情報を追加的に含む。車両の実際の時間情報および実際の位置は、その都度の現在時刻および車両位置情報である。車両は、車両識別番号を介して明確に識別することができる。
【００１４】
例えば、バックエンド装置が、全損に対して９９．８％の衝突確率を取得し、その後車両への接続が中断された場合、バックエンド装置は、全損が発生したと結論付け、緊急通報をトリガする。バックエンド装置は、最後に取得されたデータセットのデータから、事故の時刻および事故位置の座標を決定する。これによって、車両自体がもはや緊急通報を発することができない状況であっても、緊急通報がトリガされる。衝突の確率と、特に衝突の重大度と組み合わせることによって、疑似緊急事態の報告が回避される。
【００１５】
緊急通報センターは、特に、ＰＳＡＰ（Public Safety Answering Point）と略される公共安全応答地点である。緊急通報センターは、ユーロ緊急通報番号１１２を介して呼び出される。緊急通報を緊急通報センターに提供することは、特に、バックエンド装置の第３インターフェイスを用いて緊急通報が送信され、緊急通報センターによって受信されることを意味する。
【００１６】
バックエンド装置は、有利には、緊急通報センターに対して対応する救助措置を準備するために、データセットのデータから、運転者、同乗者、および／または更なる事故に関与する者に対する事故の影響の程度を導出するように構成されている。例えば、バックエンド装置は、データセットから、事故によって運転者が車両の内部に閉じ込められたことを推測できる。緊急通報センターは、この情報を取得する。これによって、警報が発せられるべき救急車が事故現場に出発する前に、必要な救助材料を確実に装備することができる。例えば、このような事故の場合には、例えばスプレッダ等の油圧救助ツールを装備した緊急消防隊車両に、自動的に警告が発せられる。
【００１７】
好適には、バックエンド装置は、インターネットプロトコルを介した音声伝送用に構成されている。最後に取得される衝突確率が取得された時点で、またはその時点の後で、車両乗員がまだ会話できる場合に対して、バックエンド装置は、緊急通報センターとの音声接続を確立することができる。有利には、バックエンド装置は、例えば車両乗員および／またはその状態を、その声を介して分類するために、人工知能手段を備える。
【００１８】
好適には、第１インターフェイスは、車両を自動制御するための車両制御装置へのインターフェイスである。車両制御装置は、車両の環境取得センサからのデータに応じて人工知能手段で環境を知覚する。車両制御装置は、環境の知覚に応じて車両を自動制御する手段を備える。
【００１９】
環境取得センサは、運転者支援システムのセンサである。このセンサで、車両の環境、すなわち車両に作用する領域を取得する。カメラ、レーダ、ライダ、超音波センサ、および／または音響センサは、環境取得センサの例である。これによって、バックエンド装置は、衝突速度に加えて、車両の環境から更なる情報を取得する。これは、事故の検出に有利である。車両制御装置は、好適には、ＡＤＡＳ‐ドメイン‐ＥＣＵである。
【００２０】
本発明による車両制御装置は、車両の衝突検出装置へのインターフェイスを備える車環境間通信用の装置である。衝突検出装置は、車両の環境取得出センサからのデータに応じて車両と環境における物体との衝突に対する衝突確率を決定するアルゴリズムを実行するように構成されている。車両制御装置は、環境に対する衝突確率を提供するように構成されている。車両制御装置は、Ｖ２Ｘ‐ＥＣＵであり、欧州電気通信標準協会（ＥＴＳＩ：European Telecommunications Standards Institute）の技術仕様、および車両環境における無線アクセス（ＷＡＶＥ：Wireless Access in Vehicular Environment）のためのＩＥＥＥ１１６０９規格の技術仕様を満たす。例えば、Ｖ２Ｘ‐ＥＣＵは、１００ｍｓの期間に６５ｇの加速状態に耐えるように構成されている。衝突検出装置へのインターフェイスを用いて、本発明によるＶ２Ｘ‐ＥＣＵは、衝突検出装置の結果、すなわち、例えば操舵角および速度などの生データだけでなく、特に衝突確率も追加的に送信する。
【００２１】
Ｖ２Ｘ‐ＥＣＵとバックエンド装置との間の通信は、有利には、無線リンクを用いる無線を介して行われる。
【００２２】
好適には、車両制御装置は、ＡＤＡＳ‐ドメイン‐ＥＣＵにも接続されている。
【００２３】
本発明によるシステムは、本発明によるバックエンド装置と、本発明による車両制御装置と、を備え、少なくとも１台の車両のための自動緊急通報をトリガする。車両制御装置は、第１インターフェイスを介して衝突確率をバックエンド装置に提供する。バックエンド装置は、車両の外部から、第３インターフェイスを介して自動緊急通報を緊急通報センター提供する。システムは、特に、対応する欧州指令で指定されたｅＣａｌｌシステムであり、したがってｅＣａｌｌシステムのための技術的要件を満たす。車両制御装置は、車両制御装置とバックエンド装置との間の直接的な接続において、または、例えば無線送信アンテナ等であるその間に接続されたトランスポート層を用いて、車環境間通信を用いて、衝突確率をバックエンド装置に提供する。
【００２４】
少なくとも１台の車両のための自動緊急通報を、車両の外部からトリガする本発明による方法は、以下の方法ステップを含む：
バックエンド装置において、車環境間通信を用いて、車両と車両の環境における物体との衝突に対する、車両の衝突検出装置の現在の衝突確率を取得するステップ。
バックエンド装置において、少なくとも１つの実際の時間情報、車両の少なくとも１つの実際の位置、および車両識別番号を含む、車両によってその都度更新されるデータセットを取得するステップ。
現在の衝突確率および更新されるデータセットを繰り返し取得し、
衝突確率の取得が中断される場合に、最後に取得した衝突確率に応じて、最後に取得したデータセットを含む自動緊急通報をバックエンド装置からトリガするステップ。
これによって、Ｖ２Ｘ‐ＥＣＵまたは車両が例えば破損した場合など、それら自体がもはや緊急通報をトリガできない場合であっても、緊急通報がトリガされる。
【００２５】
好適には、本発明によるバックエンド装置または本発明によるシステムは、方法を実行するために使用される。
【００２６】
少なくとも１台の車両のための自動緊急通報をトリガするバックエンド装置用の本発明によるコンピュータプログラム製品は、バックエンド装置のメモリにロードされるように構成されている。コンピュータプログラム製品は、コンピュータプログラム製品がバックエンド装置上で実行されているときに、本発明による方法を実行することができるソフトウエアコード部分を含む。
【００２７】
プログラムは、データ処理システムのソフトウエアの一部に属し、例えばコンピューティングユニット、コンピュータ、またはバックエンド装置に属する。ソフトウエアは、プログラムおよび関連するデータの総称である。ソフトウエアを補完するのが、ハードウエアである。ハードウエアは、データ処理システムの機械的および電子的な装置である。
【００２８】
コンピュータプログラム製品は、通常、プログラムがロードされると、特定の結果をもたらす特定の方法をハードウエアに実行させる一連の命令を含む。当該プログラムがバックエンド装置上で使用されると、コンピュータプログラム製品は、車両側からもはやデータが取得されず、衝突可能性が特に高い場合に、技術的効果、すなわち自動緊急通報、特にｅＣａｌｌのトリガを引き起こす。
【００２９】
本発明によるコンピュータプログラム製品は、プラットフォームに依存しない。つまり、任意のコンピューティングプラットフォーム上で、コンピュータプログラム製品を実行することができる。
【００３０】
本発明の主題は以下の図面を参照して例示的に説明される。
【図面の簡単な説明】
【００３１】
【図１】本発明によるシステムの一実施形態の図である。
【図２】本発明による方法の概略図である。
【図３】本発明によるコンピュータプログラム製品の一実施形態の図である。
【図４】図１のシステムの実施形態の通常動作の図である。
【図５】図１のシステムの実施形態のプリクラッシュ状態の図である。
【図６】図１のシステムの実施形態を本発明にしたがって使用した場合の図である。
【発明を実施するための形態】
【００３２】
図面において、同一の参照符号は、同一または機能的に類似の参照部分を示す。より明確にするために、全ての符号が個々の図面において繰り返されるわけではなく、関連する符号のみが、それぞれ使用される。
【００３３】
図１に示すシステム３０は、構成要素として、車両制御装置Ｖ２Ｘ‐ＥＣＵと、バックエンド装置１０と、を含む。これらは、構成要素として個別であり、個別に使用可能である。
【００３４】
車両制御装置Ｖ２Ｘ‐ＥＣＵは、車環境間通信Ｖ２Ｘ用の電子制御装置であり、５Ｇ技術への拡張を伴うＬＴＥ技術用に設計されている。車両制御装置Ｖ２Ｘ‐ＥＣＵは、車両１の車載装置である。車両制御装置Ｖ２Ｘ‐ＥＣＵは、インターフェイス２１を介して車両１の衝突検出装置２に接続されている。衝突検出装置２は、環境取得センサ６のデータと更なる車両データとに応じて衝突確率を決定する。図１において、環境取得センサ６はＡＤＡＳカメラである。環境取得センサ６は、車両１の走行中に、車両１の環境における物体３と、特に物体３に対する車両１の現在の距離および現在の相対速度と、を検出する。車両１は、車両制御装置５も備える。車両制御装置５はＡＤＡＳ‐ＥＣＵである。ＡＤＡＳ‐ＥＣＵは、環境取得センサ６のデータを人口知能手段、例えば人口ニューラルネットワークで処理し、車両アクチュエータに信号として送信される車両制御コマンドを決定する。衝突検出装置２は、有利には、車両制御装置５に組み込まれている。
【００３５】
車両制御装置Ｖ２Ｘ‐ＥＣＵは、車両１の走行中に、その都度の現在の衝突確率をバックエンド装置１０に周期的に送信する。さらに、車両１は、車両１の走行中に、少なくとも１つの実際の時間情報、車両１の少なくとも１つの実際の位置、および車両識別番号を含むその都度の現在のデータセットを周期的に送信する。車両制御装置Ｖ２Ｘ‐ＥＣＵは、これらのデータをバックエンド装置１０に、直接または図１に示すように、その間に接続されたアンテナ１４を介して送信する。
【００３６】
バックエンド装置１０は第１インターフェイス１１を備える。第１インターフェイス１１は、車両制御装置Ｖ２Ｘ‐ＥＣＵのデータを受信する。さらに、バックエンド装置１０は第２インターフェイス１２を備える。第２インターフェイス１２は、車両１のデータセットを受信する。バックエンド装置１０は、クラウドベースのコンピュータである。バックエンド装置１０は第３インターフェイス１３を備える。自動緊急通報は、ユーロ緊急通報番号１１２を呼び出すことによって第３インターフェイス１３を介してトリガされる。衝突確率の取得は中断される。またトリガは、最後に取得された衝突確率に応じて行われる。この場合、最後に取得された車両１のデータセットは、緊急通報センター４に送信される。
【００３７】
少なくとも１台の車両１のための自動緊急通報をトリガする方法が図２に示されている。この方法は、システム３０で実行する。第１方法ステップＶ１において、バックエンド装置は、車両１と車両１の環境における物体３との衝突に対する、車両１の衝突検出装置２の現在の衝突確率を取得する。車両制御装置Ｖ２Ｘ‐ＥＣＵは、車環境間通信Ｖ２Ｘを用いて、衝突確率をバックエンド装置１０に提供する。第２方法ステップＶ２において、バックエンド装置１０は、車両１によってその都度更新されるデータセットを取得する。データセットは、少なくとも１つの実際の時間情報、車両１の少なくとも１つの実際の位置、および車両識別番号を含む。現在の衝突確率および更新されるデータセットを、車両の走行中に、車両で繰り返し取得する。衝突確率の取得が中断される第３方法ステップＶ３において、バックエンド装置１０は、最後に取得した衝突確率に応じて、最後に取得したデータセットを含む自動緊急通報をトリガする。
【００３８】
図３は、バックエンド装置１０のメモリ４１で実行される本発明によるコンピュータプログラム製品４０を示す。コンピュータプログラム製品４０は、プログラムがバックエンド装置１０上で実行されているときに、図２に示す方法が実行されるようにプログラムされている。したがって、コンピュータプログラム製品４０は、緊急通報を自動的にトリガする。
【００３９】
図４は、車両制御装置Ｖ２Ｘ‐ＥＣＵが車環境間通信Ｖ２Ｘを用いてバックエンド装置１０と通信する通常状態のシステム３０を示す。
【００４０】
図５において、システム３０はプリクラッシュの場合である。衝突確率は、９９．８％の確率で全損になると判断している。９９．８％の衝突確率はまた、車両制御装置Ｖ２Ｘ‐ＥＣＵを用いて、車両１の関連するデータセットと共にバックエンド装置１０に送信される。バックエンド装置１０は、この衝突可能性を取得し、それから衝突の可能性が高いと結論付ける。
【００４１】
図６において、全損が発生している。車両１は、物体３と正面衝突しており、作動不能である。車両制御装置Ｖ２Ｘ‐ＥＣＵとバックエンド装置１０との間の車環境間通信Ｖ２Ｘは、中断されている。バックエンド装置１０は、もはや、車両制御装置Ｖ２Ｘ‐ＥＣＵから周期的にデータを取得しない。このことと、最後に取得された９９．８％の衝突確率とから、バックエンド装置１０は、衝突が発生したと結論付ける。ここでバックエンド装置１０は、緊急通報センターへの緊急通報を自動的に発動する。バックエンド装置１０による緊急通報の自動的トリガのための条件は、不可避の事故の検出と、車両制御装置Ｖ２Ｘ‐ＥＣＵとバックエンド装置１０との間の通信の中断である。
【符号の説明】
【００４２】
１  車両
２  衝突検出装置
３  物体
４  緊急通報センター
５  車両制御装置
６  環境取得センサ
１０  バックエンド装置
１１  第１インターフェイス
１２  第２インターフェイス
１３  第３インターフェイス
１４  アンテナ
２１  インターフェイス
３０  システム
４０  コンピュータプログラム製品
４１  メモリ
Ｖ２Ｘ  車環境間通信
Ｖ２Ｘ‐ＥＣＵ  車両制御装置
Ｖ１‐Ｖ３  方法ステップ
【図１】
2022502763.tif 000003
【図２】
2022502763.tif 000004
【図３】
2022502763.tif 000005
【図４】
2022502763.tif 000006
【図５】
2022502763.tif 000007
【図６】
2022502763.tif 000008
【国際調査報告】
2022502763.tif 000009
2022502763.tif 000010
2022502763.tif 000011
2022502763.tif 000012
2022502763.tif 000013